(57)【要約】【課題】組立時においてハウジング内の予め定められた位置にフェルールを確実に配置することができる光コネクタプラグを提供する。【解決手段】ハウジング１１は、突き当て面１２と、突き当て面１２から第２方向Ｄ２に向かって延び且つ嵌合軸Ｃを中心とする周方向に配列された複数の平面状の側壁面１４により囲まれると共にフランジ２４の断面形状と相似の断面形状を有するフランジ収容部１３と、複数の側壁面１４の第２方向Ｄ２側に接続される複数のスロープ面１６とを有し、複数のスロープ面１６は、それぞれ、対応する側壁面１４の周方向の一端から他端まで連続して延び且つ対応する側壁面１４から第２方向Ｄ２に向かうほど嵌合軸Ｃからの距離が大きくなると共に嵌合軸Ｃを中心とする回転方向Ｒに向かうほど第２方向Ｄ２における突き当て面１２からの距離が大きくなるように傾斜する。【選択図】図５
2017227843.tif 000002
【特許請求の範囲】
【請求項１】
嵌合軸上に配置された光ファイバの前端に取り付けられ且つ前記光ファイバに沿って前記光ファイバの前端へと向かう第１方向に嵌合される光コネクタプラグであって、
前記嵌合軸上に前記光ファイバの前端を挿入して保持すると共に前記嵌合軸を中心とする正多角形の断面形状のフランジを有するフェルールと、
前記フェルールの前記第１方向側の端部が露出するように前記フェルールを収容して保持する筒形状のハウジングと、
前記ハウジングに対して前記フェルールを前記第１方向に押しつけるバネと
を備え、
前記ハウジングは、
前記第１方向とは反対向きの第２方向を向き且つ前記フェルールの前記フランジの前記第１方向側の端部に突き当たる突き当て面と、
前記突き当て面から前記第２方向に向かって延び且つ前記嵌合軸を中心とする周方向に配列された複数の平面状の側壁面により囲まれると共に前記フェルールの前記フランジの断面形状と相似の断面形状を有して前記フランジを収容するフランジ収容部と、
前記フランジ収容部の前記複数の側壁面に対応し且つ前記複数の側壁面の前記第２方向側に接続される複数のスロープ面と
を有し、前記複数のスロープ面は、それぞれ、対応する前記側壁面の周方向の一端から他端まで連続して延び且つ対応する前記側壁面から前記第２方向に向かうほど前記嵌合軸からの距離が大きくなると共に前記嵌合軸を中心とする所定の回転方向に向かうほど前記第２方向における前記突き当て面からの距離が大きくなるように傾斜することを特徴とする光コネクタプラグ。
【請求項２】
前記複数の側壁面は、それぞれ、前記嵌合軸に平行に延び、
前記複数のスロープ面は、それぞれ、平面からなると共に前記嵌合軸に対して傾斜する直線状の境界線を介して対応する前記側壁面に接続されている請求項１に記載の光コネクタプラグ。
【請求項３】
前記複数のスロープ面は、それぞれ、前記嵌合軸に沿った方向において、前記フランジ収容部が占める領域の範囲内に配置されている請求項２に記載の光コネクタプラグ。
【請求項４】
前記ハウジングは、前記フランジ収容部の前記第２方向側に隣接して形成され且つ前記バネを収容するバネ収容部を有する請求項３に記載の光コネクタプラグ。
【請求項５】
前記ハウジングの前記第２方向側に連結され且つ前記バネの前記第２方向側の端部が接触するバネ接触部を有する連結部材を備え、
前記フランジの前記第２方向側の端部と前記連結部材の前記バネ接触部との間に前記バネが配置される請求項４に記載の光コネクタプラグ。
【請求項６】
前記複数の側壁面は、それぞれ、三角形状を有し、
前記複数のスロープ面は、それぞれ、三角形状または台形形状を有する請求項３〜５のいずれか一項に記載の光コネクタプラグ。
【請求項７】
前記フランジの前記第１方向側の端部は、円錐形状を有し、
前記突き当て面は、多角錐形状を有する請求項１〜６のいずれか一項に記載の光コネクタプラグ。
【請求項８】
前記フェルールは、前記光ファイバの前端が挿入されるキャピラリと、前記キャピラリの前記第２方向側に連結されて前記キャピラリを保持し且つ前記フランジが形成されたキャピラリ保持部材とを有し、
前記キャピラリの前記第１方向側の端部が前記ハウジングから露出する請求項１〜７のいずれか一項に記載の光コネクタプラグ。
【発明の詳細な説明】
【技術分野】
【０００１】
この発明は、光ファイバの前端に取り付けられた光コネクタプラグに関する。
【背景技術】
【０００２】
この種の光コネクタプラグは、一般的に、光ファイバの前端に取り付けられたフェルールと、このフェルールを収容して内部に保持する筒形状のハウジングを有している。光ファイバの前端が接着剤等によりフェルールに固定されたときに、フェルールに対して光ファイバが偏心することがあり、光コネクタプラグの嵌合時には、嵌合軸から見た周方向の位置合わせが行われている。
このため、光コネクタプラグの組立時には、嵌合軸を中心とする予め定められた回転位置にフェルールを配置することが要求される。例えば、特許文献１には、フェルールをハウジングに挿入する際に、嵌合軸を中心とする予め定められた回転位置にフェルールを案内することができる光コネクタプラグが開示されている。
【０００３】
図１１に示されるように、特許文献１に記載の光コネクタプラグは、光ファイバ１の前端に取り付けられており、四角柱形状のフランジ２が形成されたフェルール３と、このフェルール３を収容するための筒形状のハウジング４を有している。ハウジング４の内部には、フランジ２の前端面が突き当たるための突き当て面５が形成されている。この突き当て面５の周囲には、４つの案内部が形成されており、それぞれの案内部に稜線６が形成されている。これらの稜線６は、光コネクタプラグの後方に向かって広がるように傾斜している。それぞれの案内部には、稜線６を境界に、第１スロープ面７と、第２スロープ面８が形成されている。
【０００４】
フランジ２の前端面は略四角形状を有しており、この略四角形状の４つの頂点に対応する４つの角部９がフランジ２に形成されている。フェルール３をハウジング４に挿入する際に、フランジ２の４つの角部９がハウジング４内の案内部に接触し、フランジ２が案内部により案内されて嵌合軸を中心に回転しながら前進し、フランジ２の前端面が突き当て面５に突き当たることとなる。
【先行技術文献】
【特許文献】
【０００５】
【特許文献１】特開平７−５６０５３号公報
【発明の概要】
【発明が解決しようとする課題】
【０００６】
しかしながら、案内部には、稜線６を境界に、第１スロープ面７と第２スロープ面８という２つの面が形成されている。このため、フランジ２の角部９が第１スロープ面７と第２スロープ面８のどちらに接触するかで、フランジ２の回転する方向が変わってしまい、嵌合軸を中心とする予め定められた回転位置にフェルール３を配置することができないおそれがある。
また、フランジ２の４つの角部９がそれぞれ対応する案内部の稜線６に突き当たると、フランジ２が回転することも前進することもできなくなり、フランジ２の前端面が、ハウジング４内の突き当て面５に突き当たることができないおそれがある。このため、嵌合方向の予め定められた位置にフェルール３を配置することができないおそれがある。
【０００７】
この発明は、このような従来の問題点を解決するためになされたもので、組立時においてハウジング内の予め定められた位置にフェルールを確実に配置することができる光コネクタプラグを提供することを目的とする。
【課題を解決するための手段】
【０００８】
この発明に係る光コネクタプラグは、嵌合軸上に配置された光ファイバの前端に取り付けられ且つ光ファイバに沿って光ファイバの前端へと向かう第１方向に嵌合される光コネクタプラグであって、嵌合軸上に光ファイバの前端を挿入して保持すると共に嵌合軸を中心とする正多角形の断面形状のフランジを有するフェルールと、フェルールの第１方向側の端部が露出するようにフェルールを収容して保持する筒形状のハウジングと、ハウジングに対してフェルールを第１方向に押しつけるバネとを備え、ハウジングは、第１方向とは反対向きの第２方向を向き且つフェルールのフランジの第１方向側の端部に突き当たる突き当て面と、突き当て面から第２方向に向かって延び且つ嵌合軸を中心とする周方向に配列された複数の平面状の側壁面により囲まれると共にフェルールのフランジの断面形状と相似の断面形状を有してフランジを収容するフランジ収容部と、フランジ収容部の複数の側壁面に対応し且つ複数の側壁面の第２方向側に接続される複数のスロープ面とを有し、複数のスロープ面は、それぞれ、対応する側壁面の周方向の一端から他端まで連続して延び且つ対応する側壁面から第２方向に向かうほど嵌合軸からの距離が大きくなると共に嵌合軸を中心とする所定の回転方向に向かうほど第２方向における突き当て面からの距離が大きくなるように傾斜するものである。
【０００９】
好ましくは、複数の側壁面は、それぞれ、嵌合軸に平行に延び、複数のスロープ面は、それぞれ、平面からなると共に嵌合軸に対して傾斜する直線状の境界線を介して対応する側壁面に接続されている。
より好ましくは、複数のスロープ面は、それぞれ、嵌合軸に沿った方向において、フランジ収容部が占める領域の範囲内に配置されている。
さらに好ましくは、ハウジングは、フランジ収容部の第２方向側に隣接して形成され且つバネを収容するバネ収容部を有する。
より好ましくは、ハウジングの第２方向側に連結され且つバネの第２方向側の端部が接触するバネ接触部を有する連結部材を備え、フランジの第２方向側の端部と連結部材のバネ接触部との間にバネが配置される。
【００１０】
複数の側壁面は、それぞれ、三角形状を有し、複数のスロープ面は、それぞれ、三角形状または台形形状を有するという構成にしても良い。
また、フランジの第１方向側の端部は、円錐形状を有し、突き当て面は、多角錐形状を有するという構成にしても良い。
さらに、フェルールは、光ファイバの前端が挿入されるキャピラリと、キャピラリの第２方向側に連結されてキャピラリを保持し且つフランジが形成されたキャピラリ保持部材とを有し、キャピラリの第１方向側の端部がハウジングから露出するという構成にしてもよい。
【発明の効果】
【００１１】
この発明によれば、ハウジングは、第１方向とは反対向きの第２方向を向き且つフェルールのフランジの第１方向側の端部に突き当たる突き当て面と、突き当て面から第２方向に向かって延び且つ嵌合軸を中心とする周方向に配列された複数の平面状の側壁面により囲まれると共にフェルールのフランジの断面形状と相似の断面形状を有してフランジを収容するフランジ収容部と、フランジ収容部の複数の側壁面に対応し且つ複数の側壁面の第２方向側に接続される複数のスロープ面とを有し、複数のスロープ面は、それぞれ、対応する側壁面の周方向の一端から他端まで連続して延び且つ対応する側壁面から第２方向に向かうほど嵌合軸からの距離が大きくなると共に嵌合軸を中心とする所定の回転方向に向かうほど第２方向における突き当て面からの距離が大きくなるように傾斜するので、組立時においてハウジング内の予め定められた位置にフェルールを確実に配置することができる。
【図面の簡単な説明】
【００１２】
【図１】この発明の実施の形態１に係る光コネクタプラグを示す斜視図である。
【図２】実施の形態１の光コネクタプラグを示す断面図である。
【図３】実施の形態１の光コネクタプラグのフェルールを示す斜視図である。
【図４】実施の形態１の光コネクタプラグのハウジングを示す斜視断面図である。
【図５】実施の形態１の光コネクタプラグのハウジングを示す斜視断面図である。
【図６】実施の形態１の光コネクタプラグの連結部材を示す斜視図である。
【図７】組立前の実施の形態１の光コネクタプラグを示す斜視図である。
【図８】実施の形態１の光コネクタプラグを示す背面図である。
【図９】実施の形態２の光コネクタプラグのハウジングを示す斜視断面図である。
【図１０】実施の形態２の光コネクタプラグのハウジングを示す斜視断面図である。
【図１１】従来の光コネクタプラグを示す部分断面斜視図である。
【発明を実施するための形態】
【００１３】
以下、この発明の実施の形態を添付図面に基づいて説明する。
実施の形態１
図１および図２に、実施の形態１に係る光コネクタプラグの構成を示す。この光コネクタプラグは、嵌合軸Ｃ上に配置された図示しない光ファイバの前端に取り付けられたものであり、嵌合軸Ｃに沿った嵌合方向において両端が開口した筒形状のハウジング１１、このハウジング１１内に収容されたフェルール２１、バネ３１および連結部材４１を有している。
光ファイバの前端はフェルール２１に保持されており、このフェルール２１の先端部分が、ハウジング１１の端部から嵌合軸Ｃに沿って露出している。
ここで、便宜上、嵌合軸Ｃに沿ってフェルール２１の先端部分がハウジング１１の端部から露出する方向を第１方向Ｄ１、第１方向Ｄ１と反対向きの方向を第２方向Ｄ２と呼ぶこととする。すなわち、嵌合軸Ｃ上に配置されている図示しない光ファイバに沿って光ファイバの前端へと向かう方向を第１方向Ｄ１としている。
【００１４】
図３に示されるように、フェルール２１は、第１方向Ｄ１側に位置するセラミックス製のキャピラリ２２と、キャピラリ２２の第２方向Ｄ２側に位置する金属製のキャピラリ保持部材２３を有している。キャピラリ２２は、嵌合軸Ｃに沿った嵌合方向に延びると共に嵌合方向の両端が開口した筒形状を有しており、キャピラリ２２の第１方向Ｄ１側の開口部は、嵌合軸Ｃ上に位置している。
【００１５】
キャピラリ保持部材２３は、嵌合軸Ｃに沿った嵌合方向に延びると共に嵌合方向の両端が開口した筒形状を有している。そして、キャピラリ２２の第２方向Ｄ２側の端部は、キャピラリ保持部材２３に連結され、キャピラリ２２がキャピラリ保持部材２３に保持されている。これにより、キャピラリ２２とキャピラリ保持部材２３の内部の空間が互いに連通している。
図示しない光ファイバは、キャピラリ保持部材２３の第２方向Ｄ２側の開口部から挿入され、キャピラリ保持部材２３の内部を通過し、キャピラリ２２の内部に接着剤等により固定されてフェルール２１に保持されるが、このとき、フェルール２１に対して光ファイバが偏心することがある。
【００１６】
キャピラリ保持部材２３の第１方向Ｄ１側の端部には、嵌合軸Ｃを中心に嵌合軸Ｃに直交する方向に張り出すような正六角柱形状のフランジ２４が形成されている。このフランジ２４の嵌合軸Ｃに直交する方向の断面は、嵌合軸Ｃを中心とする正六角形状を有しており、フランジ２４の側面には、６つの平面部２５が形成されている。また、フランジ２４の第１方向Ｄ１側の端面は正六角形状を有しており、この正六角形状の端面の６つの頂点にそれぞれ角部２６が形成されている。
フランジ２４の第１方向Ｄ１側の端部には、嵌合軸Ｃを中心に第２方向Ｄ２に広がる円錐形状を有するフランジ端部２７が形成されている。
【００１７】
図４および図５に示されるように、ハウジング１１の内部には、フェルール２１のフランジ２４のフランジ端部２７が突き当たるための突き当て面１２が形成されている。この突き当て面１２は、嵌合軸Ｃを中心に第２方向Ｄ２に開く正六角錐形状を有している。なお、図５は、図４に対して異なる方向からハウジング１１の内部を見た図である。
【００１８】
また、ハウジング１１の内部には、突き当て面１２から第２方向Ｄ２に向かって延びるように、フェルール２１のフランジ２４を収容するためのフランジ収容部１３が形成されている。このフランジ収容部１３は、嵌合軸Ｃを中心とする正六角柱の筒形状を有している。フランジ収容部１３の嵌合軸Ｃに直交する方向の断面は、嵌合軸Ｃを中心とする正六角形状を有しており、フランジ２４の嵌合軸Ｃに直交する方向の断面の形状に相似し、このフランジ２４の断面と比較してわずかに大きい。また、フランジ収容部１３は、嵌合軸Ｃを中心に配列された６つの三角形状の側壁面１４に囲まれており、これら６つの側壁面１４は、それぞれ嵌合軸Ｃに平行に延びている。
【００１９】
フランジ収容部１３の６つの三角形状の側壁面１４の第２方向Ｄ２側には、嵌合軸Ｃに対して傾斜する直線状の境界線１５を介して、６つの三角形状のスロープ面１６が接続されている。これら６つのスロープ面１６は、嵌合軸Ｃに沿った第２方向Ｄ２に向かって広がるように傾斜しており、嵌合軸Ｃに対してフランジ収容部１３よりも径方向の外側に位置すると共に、嵌合軸Ｃに沿った方向においては、フランジ収容部１３が占める領域Ｗの範囲内に配置されている。
６つのスロープ面１６は、それぞれ、対応する側壁面１４の周方向の一端から他端まで連続して延びる単一の平面を形成している。また、６つのスロープ面１６は、それぞれ、対応する側壁面１４から第２方向Ｄ２に向かうほど嵌合軸Ｃからの距離が大きくなると共に、嵌合軸Ｃを中心とする第２方向Ｄ２から見た時計回りの回転方向Ｒに向かうほど第２方向Ｄ２における突き当て面１２からの距離が大きくなるように傾斜している。
【００２０】
また、ハウジング１１の内部には、フランジ収容部１３の第２方向Ｄ２側に隣接するように、バネ３１を収容するためのバネ収容部１７が形成されている。上述したように、６つのスロープ面１６は、嵌合軸Ｃに沿った方向において、フランジ収容部１３が占める領域Ｗの範囲内に配置されており、バネ収容部１７の内部にまで延びることがないように構成されている。
【００２１】
図６に示されるように、連結部材４１は、嵌合軸Ｃに沿った嵌合方向の両端が開口する形状を有しており、連結部材４１の外側には、ハウジング１１の外壁に形成された貫通孔１８に対応する爪部４２が形成されている。また、図２に示されるように、連結部材４１の内部には、バネ３１の第２方向Ｄ２側の端部が接触するためのバネ接触部４３が形成されている。図２に示したバネ３１は、嵌合方向に延びるいわゆるコイルバネである。
なお、ハウジング１１は、樹脂あるいは金属を用いて製造することができる。
【００２２】
次に、実施の形態１に係る光コネクタプラグの組立について説明する。
実施の形態１に係る光コネクタプラグが組み立てられる際には、図７に示されるように、ハウジング１１の第２方向Ｄ２側の端部の開口部から、嵌合軸Ｃに沿って第１方向Ｄ１に向かうように、フェルール２１、バネ３１および連結部材４１が順次挿入される。フェルール２１に対する光ファイバの偏心量は予め測定されており、フェルール２１が挿入される際には、測定された偏心量に応じて、嵌合軸Ｃを中心とする回転位置が予め定められる。
【００２３】
連結部材４１が第１方向Ｄ１に前進すると、連結部材４１のバネ接触部４３がバネ３１の第２方向Ｄ２側の端部を第１方向Ｄ１に押しつけ、バネ３１が第１方向Ｄ１に前進する。さらに連結部材４１とバネ３１が第１方向Ｄ１に前進すると、バネ３１の第１方向Ｄ１側の端部がフランジ２４の第２方向Ｄ２側の端部を第１方向Ｄ１に押しつけ、フェルール２１が第１方向Ｄ１に前進する。
【００２４】
フェルール２１が前進してフランジ２４がハウジング１１内のフランジ収容部１３に達すると、フランジ２４の６つの角部２６がハウジング１１内の６つのスロープ面１６に接触する。
前述したように、６つのスロープ面１６は、それぞれ、対応する側壁面１４から第２方向Ｄ２に向かうほど嵌合軸Ｃからの距離が大きくなると共に、嵌合軸Ｃを中心とする第２方向Ｄ２から見た時計回りの回転方向Ｒに向かうほど第２方向Ｄ２における突き当て面１２からの距離が大きくなるように傾斜している。このため、６つの角部２６が６つのスロープ面１６に接触したときに、嵌合軸Ｃを中心とする予め定められた回転位置に対し、周方向の位置ズレがフェルール２１に生じている場合、第２方向Ｄ２から見た反時計回りの回転方向にフェルール２１が回転しながら第１方向Ｄ１に前進する。すなわち、フェルール２１が周方向の位置ズレを修正しながら第１方向Ｄ１に前進する。
【００２５】
また、前述したように、６つのスロープ面１６は、それぞれ単一の平面を形成している。このため、フランジ２４の６つの角部２６が、６つのスロープ面１６に滑らかに接触することができると共に、フランジ２４が予め定められた方向に円滑に案内されることとなる。
【００２６】
そして、図８に示されるように、嵌合軸Ｃを中心とする予め定められた回転位置にフェルール２１が案内される。さらに、図２に示されるように、フランジ２４のフランジ端部２７がハウジング１１の内部の突き当て面１２に突き当たり、フランジ２４がフランジ収容部１３に収容され、嵌合方向の予め定められた位置にフェルール２１が案内される。
なお、図８は実施の形態１に係る光コネクタプラグを第２方向Ｄ２から見た図であるが、バネ３１と連結部材４１が省略されている。
【００２７】
従って、フェルール２１をハウジング１１に挿入する際に、嵌合軸Ｃを中心とする予め定められた回転位置、および、嵌合方向の予め定められた位置に、フェルール２１を確実に配置することができる。すなわち、ハウジング１１内の予め定められた位置にフェルール２１を確実に配置することができる。
また、前述したように、ハウジング１１内の６つのスロープ面１６は、それぞれ、対応する側壁面１４の周方向の一端から他端まで連続して延びている。このため、フランジ２４の角部２６が対応するスロープ面１６に接触することができる範囲内で、嵌合軸Ｃから見た周方向の位置ズレがフェルール２１に生じていたとしても、ハウジング１１内の予め定められた位置にフェルール２１を確実に配置することができる。
また、６つのスロープ面１６が、嵌合軸Ｃに沿った方向において、フランジ収容部１３が占める領域Ｗの範囲内に配置され、ハウジング１１のバネ収容部１７の内部にまで延びないように構成されている。このため、バネ収容部１７に収容されたバネ３１がそれぞれのスロープ面１６に接触するおそれがなく、バネ３１がフランジ２４を押しつけて、ハウジング１１内の予め定められた位置にフェルール２１を確実に配置することができる。
【００２８】
さらに、前述したように、突き当て面１２が嵌合軸Ｃを中心に第２方向Ｄ２に開く正六角錐形状を有し、フランジ端部２７が嵌合軸Ｃを中心に第２方向Ｄ２に広がる円錐形状を有している。このため、フランジ端部２７が突き当て面１２に突き当たる際に、フェルール２１の嵌合軸Ｃに直交する方向の位置を精度良く合わせることができる。
【００２９】
フランジ２４のフランジ端部２７がハウジング１１内の突き当て面１２に突き当たると、フェルール２１の前進が止まり、連結部材４１がバネ３１を第１方向Ｄ１に圧縮しながら前進する。そして、連結部材４１の爪部４２がハウジング１１の貫通孔１８に引っ掛かり、連結部材４１がハウジング１１の第２方向Ｄ２側に連結されて光コネクタプラグの組立が完了する。
【００３０】
ハウジング１１内のバネ収容部１７に収容されているバネ３１は、フェルール２１のフランジ２４の第２方向Ｄ２側の端部と連結部材４１のバネ接触部４３の間に位置している。さらに、光コネクタプラグの組立が完了した後は、連結部材４１がハウジング１１に固定されているため、バネ３１がハウジング１１に対してフェルール２１を第１方向Ｄ１に押しつける状態となる。これにより、フェルール２１がハウジング１１に保持される。
【００３１】
また、前述したように、ハウジング１１内のフランジ収容部１３の嵌合軸Ｃに直交する方向の正六角形状の断面は、フェルール２１のフランジ２４の嵌合軸Ｃに直交する方向の断面の形状に相似し、この断面と比較してわずかに大きい。フランジ収容部１３を囲む６つの側壁面１４は、それぞれ嵌合軸Ｃに平行に延びており、フランジ２４の側面に形成された６つの平面部２５に対応している。このため、フェルール２１がハウジング１１に対して嵌合軸Ｃを中心とする周方向に回転することが防止されている。
【００３２】
なお、フェルール２１のフランジ２４は、嵌合軸Ｃを中心とする正六角形状の断面を有し、ハウジング１１内のフランジ収容部１３は、このフランジ２４の断面形状に相似する正六角形状の断面を有していたが、これに限られるものではない。例えば、嵌合軸Ｃを中心とする正四角形状等の正多角形状の断面を有するようにフランジ２４を構成し、このフランジ２４の断面形状に相似する断面形状を有するようにフランジ収容部１３を構成しても良い。
【００３３】
また、ハウジング１１内の６つのスロープ面１６は、それぞれ、対応する側壁面１４から第２方向Ｄ２に向かうほど嵌合軸Ｃからの距離が大きくなると共に、嵌合軸Ｃを中心とする第２方向Ｄ２から見た反時計回りの回転方向に向かうほど第２方向Ｄ２における突き当て面１２からの距離が大きくなるように傾斜していても良い。これにより、フランジ２４の６つの角部２６がハウジング１１内の６つのスロープ面１６に接触し、フランジ２４がこれらのスロープ面１６により案内されて、第２方向Ｄ２から見た時計回りの回転方向Ｒにフェルール２１が回転しながら第１方向Ｄ１に前進することとなる。
【００３４】
実施の形態２
実施の形態１では、６つのスロープ面１６が三角形状を有していた。しかし、嵌合軸Ｃに沿った方向において、フランジ収容部１３が占める領域Ｗの範囲内にこれらのスロープ面が形成されて、フェルール２１の挿入時にフェルール２１のフランジ２４の６つの角部２６がそれぞれスロープ面に接触すれば、これらのスロープ面の形状に関わらず、ハウジング１１内の予め定められた位置にフェルール２１を確実に配置することができる。このため、これらのスロープ面の形状は三角形状に限られず、他の形状であっても良い。
【００３５】
図９および図１０に、実施の形態２の光コネクタプラグに用いられるハウジング５１を示す。このハウジング５１は、実施の形態１における図４および図５に示したハウジング１１の６つの三角形状のスロープ面１６の代わりに、６つの台形形状のスロープ面５２が形成されたものであり、これらのスロープ面５２以外は実施の形態１におけるハウジング１１と同様の構成を有している。６つのスロープ面５２は、嵌合軸Ｃに沿った方向においてフランジ収容部１３が占める領域Ｗの範囲内に配置されている。なお、図１０は、図９に対して異なる方向からハウジング５１の内部を見た図である。
なお、実施の形態２の光コネクタプラグには、実施の形態１におけるフェルール２１、バネ３１および連結部材４１が用いられる。
【００３６】
実施の形態２に係る光コネクタプラグが組み立てられる際には、実施の形態１と同様に、ハウジング５１の第２方向Ｄ２側の端部の開口部から、嵌合軸Ｃに沿って第１方向Ｄ１に向かうように、フェルール２１、バネ３１および連結部材４１が順次挿入される。そして、フェルール２１が前進し、フェルール２１のフランジ２４の６つの角部２６がハウジング５１内の６つの台形形状のスロープ面５２に接触すると、フランジ２４がこれらのスロープ面５２により案内されて、第２方向Ｄ２から見た反時計回りの回転方向にフェルール２１が回転しながら第１方向Ｄ１に前進する。
これにより、嵌合軸Ｃを中心とする予め定められた回転位置にフェルール２１が案内される。さらに、フランジ２４のフランジ端部２７がハウジング５１の内部の突き当て面１２に突き当たり、嵌合方向の予め定められた位置にフェルール２１が案内される。
このように、それぞれのスロープ面５２が台形形状を有していても、ハウジング５１内の予め定められた位置にフェルール２１を確実に配置することができる。
【符号の説明】
【００３７】
１  光ファイバ、２，２４  フランジ、３，２１  フェルール、４，１１，５１  ハウジング、５，１２  突き当て面、６  稜線、７  第１スロープ面、８  第２スロープ面、９，２６  角部、１３  フランジ収容部、１４  側壁面、１５  境界線、１６，５２  スロープ面、１７  バネ収容部、１８  貫通孔、２２  キャピラリ、２３  キャピリ保持部材、２５  平面部、２７  フランジ端部、３１  バネ、４１  連結部材、４２  爪部、４３  バネ接触部、Ｃ  嵌合軸、Ｄ１，Ｄ２，Ｒ  方向、Ｗ  領域。
【図１】
2017227843.tif 000003
【図２】
2017227843.tif 000004
【図３】
2017227843.tif 000005
【図４】
2017227843.tif 000006
【図５】
2017227843.tif 000007
【図６】
2017227843.tif 000008
【図７】
2017227843.tif 000009
【図８】
2017227843.tif 000010
【図９】
2017227843.tif 000011
【図１０】
2017227843.tif 000012
【図１１】
2017227843.tif 000013
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
嵌合軸上に配置された光ファイバの前端に取り付けられ且つ前記光ファイバに沿って前記光ファイバの前端へと向かう第１方向に嵌合される光コネクタプラグであって、
前記嵌合軸上に前記光ファイバの前端を挿入して保持すると共に前記嵌合軸を中心とする正多角形の断面形状のフランジを有するフェルールと、
前記フェルールの前記第１方向側の端部が露出するように前記フェルールを収容して保持する筒形状のハウジングと、
前記ハウジングに対して前記フェルールを前記第１方向に押しつけるバネと
を備え、
前記ハウジングは、
前記第１方向とは反対向きの第２方向を向き且つ前記フェルールの前記フランジの前記第１方向側の端部に突き当たる突き当て面と、
前記突き当て面から前記第２方向に向かって延び且つ前記嵌合軸を中心とする周方向に配列された複数の平面状の側壁面により囲まれると共に前記フェルールの前記フランジの断面形状と相似の断面形状を有して前記フランジを収容するフランジ収容部と、
前記フランジ収容部の前記複数の側壁面に対応し且つ前記複数の側壁面の前記第２方向側に接続される複数のスロープ面と
を有し、
前記複数の側壁面は、それぞれ、前記嵌合軸に平行に延び、
前記複数のスロープ面は、それぞれ、対応する前記側壁面の周方向の一端から他端まで連続して延びる単一の平面からなると共に前記嵌合軸に対して傾斜する直線状の境界線を介して対応する前記側壁面に接続され且つ対応する前記側壁面から前記第２方向に向かうほど前記嵌合軸からの距離が大きくなるように傾斜することを特徴とする光コネクタプラグ。
【請求項２】
前記複数のスロープ面は、それぞれ、前記嵌合軸に沿った方向において、前記フランジ収容部が占める領域の範囲内に配置されている請求項１に記載の光コネクタプラグ。
【請求項３】
前記ハウジングは、前記フランジ収容部の前記第２方向側に隣接して形成され且つ前記バネを収容するバネ収容部を有する請求項２に記載の光コネクタプラグ。
【請求項４】
前記ハウジングの前記第２方向側に連結され且つ前記バネの前記第２方向側の端部が接触するバネ接触部を有する連結部材を備え、
前記フランジの前記第２方向側の端部と前記連結部材の前記バネ接触部との間に前記バネが配置される請求項３に記載の光コネクタプラグ。
【請求項５】
前記複数の側壁面は、それぞれ、三角形状を有し、
前記複数のスロープ面は、それぞれ、三角形状または台形形状を有する請求項１〜４のいずれか一項に記載の光コネクタプラグ。
【請求項６】
前記フランジの前記第１方向側の端部は、円錐形状を有し、
前記突き当て面は、多角錐形状を有する請求項１〜５のいずれか一項に記載の光コネクタプラグ。
【請求項７】
前記フェルールは、前記光ファイバの前端が挿入されるキャピラリと、前記キャピラリの前記第２方向側に連結されて前記キャピラリを保持し且つ前記フランジが形成されたキャピラリ保持部材とを有し、
前記キャピラリの前記第１方向側の端部が前記ハウジングから露出する請求項１〜６のいずれか一項に記載の光コネクタプラグ。
【手続補正２】
【補正対象書類名】明細書
【補正対象項目名】０００８
【補正方法】変更
【補正の内容】
【０００８】
この発明に係る光コネクタプラグは、嵌合軸上に配置された光ファイバの前端に取り付けられ且つ光ファイバに沿って光ファイバの前端へと向かう第１方向に嵌合される光コネクタプラグであって、嵌合軸上に光ファイバの前端を挿入して保持すると共に嵌合軸を中心とする正多角形の断面形状のフランジを有するフェルールと、フェルールの第１方向側の端部が露出するようにフェルールを収容して保持する筒形状のハウジングと、ハウジングに対してフェルールを第１方向に押しつけるバネとを備え、ハウジングは、第１方向とは反対向きの第２方向を向き且つフェルールのフランジの第１方向側の端部に突き当たる突き当て面と、突き当て面から第２方向に向かって延び且つ嵌合軸を中心とする周方向に配列された複数の平面状の側壁面により囲まれると共にフェルールのフランジの断面形状と相似の断面形状を有してフランジを収容するフランジ収容部と、フランジ収容部の複数の側壁面に対応し且つ複数の側壁面の第２方向側に接続される複数のスロープ面とを有し、複数の側壁面は、それぞれ、嵌合軸に平行に延び、複数のスロープ面は、それぞれ、対応する側壁面の周方向の一端から他端まで連続して延びる単一の平面からなると共に嵌合軸に対して傾斜する直線状の境界線を介して対応する側壁面に接続され且つ対応する側壁面から第２方向に向かうほど嵌合軸からの距離が大きくなるように傾斜するものである。
【手続補正３】
【補正対象書類名】明細書
【補正対象項目名】０００９
【補正方法】変更
【補正の内容】
【０００９】
好ましくは、複数のスロープ面は、それぞれ、嵌合軸に沿った方向において、フランジ収容部が占める領域の範囲内に配置されている。
さらに好ましくは、ハウジングは、フランジ収容部の第２方向側に隣接して形成され且つバネを収容するバネ収容部を有する。
より好ましくは、ハウジングの第２方向側に連結され且つバネの第２方向側の端部が接触するバネ接触部を有する連結部材を備え、フランジの第２方向側の端部と連結部材のバネ接触部との間にバネが配置される。